(57)【要約】【課題】ＬＥＤ素子からの光を効率良く反射するとともに、ガスによる腐食を抑えることによりＬＥＤ素子からの光の反射特性を維持することが可能なＬＥＤ用基板、ＬＥＤ実装モジュール、およびＬＥＤ用基板の製造方法を提供する。【解決手段】ＬＥＤ用リードフレームまたは基板１０は、ＬＥＤ素子２１を載置する載置面１１ａを有する本体部１１を備えている。本体部１１の載置面１１ａには、ＬＥＤ素子２１からの光を反射するための反射層として機能する白金族めっき層１２が設けられている。この白金族めっき層１２により、ＬＥＤ素子２１からの光を効率良く反射するとともに、ガスによる腐食を抑えてＬＥＤ素子２１からの光の反射特性を維持することが可能である。【選択図】図１
2011066144.tif 000002
【特許請求の範囲】
【請求項１】
ＬＥＤ素子を載置するＬＥＤ用リードフレームまたは基板において、
ＬＥＤ素子を載置する載置面を有する本体部と、
本体部の載置面に設けられ、ＬＥＤ素子からの光を反射するための反射層として機能する白金族めっき層とを備えたことを特徴とするリードフレームまたは基板。
【請求項２】
本体部は、銅または銅合金からなり、本体部と白金族めっき層との間に、銀めっき層を設けたことを特徴とする請求項１記載のＬＥＤ用リードフレームまたは基板。
【請求項３】
本体部と銀めっき層との間に、銅めっき層を設けたことを特徴とする請求項２記載のＬＥＤ用リードフレームまたは基板。
【請求項４】
ＬＥＤ素子を載置する載置面を含む本体部を有するＬＥＤ用リードフレームまたは基板と、
リードフレームまたは基板の本体部の載置面上に載置されたＬＥＤ素子と、
リードフレームまたは基板とＬＥＤ素子とを電気的に接続する導電部と、
ＬＥＤ素子と導電部とを封止する封止樹脂部とを備え、
ＬＥＤ用リードフレームまたは基板の本体部の載置面に、ＬＥＤ素子からの光を反射するための反射層として機能する白金族めっき層が設けられていることを特徴とする半導体装置。
【請求項５】
本体部は、銅または銅合金からなり、本体部と白金族めっき層との間に、銀めっき層を設けたことを特徴とする請求項４記載の半導体装置。
【請求項６】
本体部と銀めっき層との間に、銅めっき層を設けたことを特徴とする請求項４または５記載のＬＥＤ用リードフレームまたは基板。
【請求項７】
封止樹脂部はシリコーン樹脂からなることを特徴とする請求項４乃至６のいずれか一項記載の半導体装置。
【請求項８】
ＬＥＤ素子を取り囲むとともに凹部を有する外側樹脂部を更に備え、封止樹脂部は、この外側樹脂部の凹部内に充填されていることを特徴とする請求項４乃至７のいずれか一項記載の半導体装置。
【請求項９】
ＬＥＤ素子を載置するＬＥＤ用リードフレームまたは基板を製造するＬＥＤ用リードフレームまたは基板の製造方法において、
ＬＥＤ素子を載置する載置面を有する本体部を準備する工程と、
本体部の載置面側に、反射層として機能する白金族めっき層を形成する工程とを備えたことを特徴とするＬＥＤ用リードフレームまたは基板の製造方法。
【発明の詳細な説明】
【技術分野】
【０００１】
本発明は、ＬＥＤ素子を載置するＬＥＤ用リードフレームまたは基板、このようなＬＥＤ用リードフレームまたは基板を有する半導体装置、およびＬＥＤ素子を載置するＬＥＤ用リードフレームまたは基板を製造するＬＥＤ用リードフレームまたは基板の製造方法に関する。
【背景技術】
【０００２】
従来より、ＬＥＤ（発光ダイオード）素子を光源として用いる照明装置が、各種家電、ＯＡ機器、車両機器の表示灯、一般照明、車載照明、およびディスプレイ等に用いられている。このような照明装置の中には、ＬＥＤ用基板とＬＥＤ素子とを有する半導体装置を含むものがある。
【０００３】
このような半導体装置として、例えば特許文献１には、Ｃｕ基板の一面側に凹部を形成して、ＬＥＤ素子をこの凹部に搭載し、該凹部側に配設された絶縁層上に接続用のＣｕ配線層を形成し、ＬＥＤの端子部とＣｕ配線層とをワイヤボンディング接続し、樹脂封止したものが記載されている。また特許文献１において、Ｃｕ配線層表面にはＡｇめっきが施されている。
【先行技術文献】
【特許文献】
【０００４】
【特許文献１】特開２００６−２４５０３２号公報
【発明の概要】
【発明が解決しようとする課題】
【０００５】
ところで近年、とりわけ高輝度ＬＥＤを用いる場合、ＬＥＤ用半導体装置を封止する樹脂が強い光にさらされる。このため、樹脂に対して耐候性が要求されるようになってきており、このような樹脂としてシリコーン樹脂を使用する要求が高まっている。しかしながら、シリコーン樹脂を用いた場合、ガスバリア性が劣る傾向があるため、半導体装置内部のＡｇ層にまで空気中の酸素や硫化水素ガス等の腐食性ガスが浸透してしまう。この結果、Ａｇ層が変色し、Ａｇ層の反射率を著しく低下させるという問題が生じている。
【０００６】
本発明はこのような点を考慮してなされたものであり、ＬＥＤ素子からの光を効率良く反射するとともに、ガスによる腐食を抑えてＬＥＤ素子からの光の反射特性を維持することが可能なＬＥＤ用基板、ＬＥＤ実装モジュール、およびＬＥＤ用基板の製造方法を提供することを目的とする。
【課題を解決するための手段】
【０００７】
本発明は、ＬＥＤ素子を載置するＬＥＤ用リードフレームまたは基板において、ＬＥＤ素子を載置する載置面を有する本体部と、本体部の載置面に設けられ、ＬＥＤ素子からの光を反射するための反射層として機能する白金族めっき層とを備えたことを特徴とするリードフレームまたは基板である。
【０００８】
本発明は、本体部は、銅または銅合金からなり、本体部と白金族めっき層との間に、銀めっき層を設けたことを特徴とするＬＥＤ用リードフレームまたは基板である。
【０００９】
本発明は、本体部と銀めっき層との間に、銅めっき層を設けたことを特徴とするＬＥＤ用リードフレームまたは基板である。
【００１０】
本発明は、ＬＥＤ素子を載置する載置面を含む本体部を有するＬＥＤ用リードフレームまたは基板と、リードフレームまたは基板の本体部の載置面上に載置されたＬＥＤ素子と、リードフレームまたは基板とＬＥＤ素子とを電気的に接続する導電部と、ＬＥＤ素子と導電部とを封止する封止樹脂部とを備え、ＬＥＤ用リードフレームまたは基板の本体部の載置面に、ＬＥＤ素子からの光を反射するための反射層として機能する白金族めっき層が設けられていることを特徴とする半導体装置である。
【００１１】
本発明は、本体部は、銅または銅合金からなり、本体部と白金族めっき層との間に、銀めっき層を設けたことを特徴とする半導体装置である。
【００１２】
本発明は、封止樹脂部はシリコーン樹脂からなることを特徴とする半導体装置である。
【００１３】
本発明は、本体部と銀めっき層との間に、銅めっき層を設けたことを特徴とする半導体装置である。
【００１４】
本発明は、ＬＥＤ素子を取り囲むとともに凹部を有する外側樹脂部を更に備え、封止樹脂部は、この外側樹脂部の凹部内に充填されていることを特徴とする半導体装置である。
【００１５】
本発明は、ＬＥＤ素子を載置するＬＥＤ用リードフレームまたは基板を製造するＬＥＤ用リードフレームまたは基板の製造方法において、ＬＥＤ素子を載置する載置面を有する本体部を準備する工程と、本体部の載置面側に、反射層として機能する白金族めっき層を形成する工程とを備えたことを特徴とするＬＥＤ用リードフレームまたは基板の製造方法である。
【発明の効果】
【００１６】
本発明によれば、本体部の載置面にＬＥＤ素子からの光を反射するための反射層として機能する白金族めっき層を設けたので、ＬＥＤ素子からの光を効率良く反射することができるとともに、白金族めっき層が空気中の酸素や硫化水素ガス等の腐食性ガスによって腐食することがなく、その反射特性を高く維持することができる。
【図面の簡単な説明】
【００１７】
【図１】本発明の一実施の形態によるリードフレームまたは基板を示す断面図。
【図２】リードフレームまたは基板の変形例を示す断面図。
【図３】本発明の一実施の形態による半導体装置を示す断面図。
【図４】本発明の一実施の形態によるリードフレームの製造方法を示す図。
【図５】本発明の一実施の形態による半導体装置の製造方法を示す図。
【図６】半導体装置の変形例（変形例１）を示す断面図。
【図７】半導体装置の変形例（変形例２）を示す断面図。
【図８】半導体装置の変形例（変形例３）を示す断面図。
【図９】半導体装置の変形例（変形例４）を示す断面図。
【図１０】半導体装置の変形例（変形例５）を示す断面図。
【発明を実施するための形態】
【００１８】
以下、本発明の実施の形態について、図１乃至図１０を参照して説明する。
【００１９】
ＬＥＤ用リードフレームまたは基板の構成
まず、図１および図２により、ＬＥＤ用リードフレームまたは基板の概略について説明する。
【００２０】
図１に示すように、ＬＥＤ用リードフレームまたは基板１０（以下、リードフレーム１０、あるいは基板１０ともいう）は、ＬＥＤ素子２１（後述）を載置するために用いられるものであり、ＬＥＤ素子２１を載置する載置面１１ａを有する本体部１１と、本体部１１の載置面１１ａに設けられた白金族めっき層１２とを備えている。
【００２１】
このうち本体部１１は金属板からなっている。本体部１１を構成する金属板の材料としては、例えば銅、銅合金、４２合金（Ｎｉ４１％のＦｅ合金）等を挙げることができる。この本体部１１の厚みは、半導体装置の構成にもよるが、０．０５ｍｍ〜０．５ｍｍとすることが好ましい。
【００２２】
他方、白金族めっき層１２は、ＬＥＤ素子２１からの光を反射するための反射層として機能するものであり、ＬＥＤ用リードフレームまたは基板１０の最表面側に位置している。この白金族めっき層１２は白金属、具体的には、白金（Ｐｔ）、ロジウム（Ｒｈ）、パラジウム（Ｐｄ）、ルテニウム（Ｒｕ）、オスミウム（Ｏｓ）、またはイリジウム（Ｉｒ）を含むめっき層からなっており、可視光の反射率が高く、かつ酸素および硫化水素ガスに対する高い耐腐食性を有している。このうち白金（Ｐｔ）またはロジウム（Ｒｈ）を用いることが反射特性の点等から好ましい。また白金族めっき層１２は、その厚みが極薄く形成されており、具体的には０．００５μｍ〜０．２μｍとされることが好ましい。
【００２３】
また、本体部１１と白金族めっき層１２との間には、本体部１１側から順に、銅めっき層１３および銀めっき層１４が積層されている。
【００２４】
このうち銅めっき層１３は、銀めっき層１４のための下地層として用いられるものであり、銀めっき層１４と本体部１１との接合性を高める機能を有している。この銅めっき層１３の厚みは、０.００５μｍ〜０．１μｍとすることが好ましい。
【００２５】
また銀めっき層１４は、白金族めっき層１２のための下地層として用いられるものであり、銅めっき層１３と白金族めっき層１２との接合性を高める機能を有している。なお銀めっき層１４の厚みは、白金族めっき層１２より厚く、例えば１μｍ〜５μｍとすることが好ましい。銀めっき層１４は、無光沢銀めっきまたは光沢銀めっきのいずれからなっていても良い。上述したように、白金族めっき層１２の厚みは極めて薄いので、銀めっき層１４のプロファイルを表出させることができる。例えば、銀めっき層１４が無光沢めっきからなる場合には、白金族めっき層１２の表面も無光沢とすることができ、銀めっき層１４が光沢めっきからなる場合には、白金族めっき層１２の表面も光沢を帯びさせることができる。
【００２６】
なお、図２（ａ）に示すように、銅めっき層１３を設けない構成も可能である。この場合、ＬＥＤ用リードフレームまたは基板１０は、本体部１１と、本体部１１の載置面１１ａに設けられた銀めっき層１４と、銀めっき層１４上に設けられた白金族めっき層１２とを有している。
【００２７】
また、図２（ｂ）に示すように、銀めっき層１４を設けない構成も可能である。この場合、ＬＥＤ用リードフレームまたは基板１０は、本体部１１と、本体部１１の載置面１１ａに設けられた銅めっき層１３と、銅めっき層１３上に設けられた白金族めっき層１２とを有している。
【００２８】
さらにまた、図２（ｃ）に示すように、銅めっき層１３および銀めっき層１４を設けない構成も可能である。この場合、ＬＥＤ用リードフレームまたは基板１０は、本体部１１と、本体部１１の載置面１１ａに直接設けられた白金族めっき層１２とを有している。
【００２９】
半導体装置の構成
次に、図３により、図１に示すＬＥＤ用リードフレームまたは基板を用いた半導体装置の一実施の形態について説明する。図３は、本発明の一実施の形態による半導体装置（ＳＯＮタイプ）を示す断面図である。
【００３０】
図３に示すように、半導体装置２０は、ＬＥＤ用リードフレーム１０と、リードフレーム１０の本体部１１の載置面１１ａ上に載置されたＬＥＤ素子２１と、リードフレーム１０とＬＥＤ素子２１とを電気的に接続するボンディングワイヤ（導電部）２２とを備えている。
【００３１】
また、ＬＥＤ素子２１を取り囲むように、凹部２３ａを有する外側樹脂部２３が設けられている。この外側樹脂部２３は、リードフレーム１０と一体化されている。さらに、ＬＥＤ素子２１とボンディングワイヤ２２とは、透光性の封止樹脂部２４によって封止されている。封止樹脂部２４は、外側樹脂部２３の凹部２３ａ内に充填されている。以下、このような半導体装置２０を構成する各構成部材について、順次説明する。
【００３２】
リードフレーム１０は、載置面１１ａを有する本体部１１と、本体部１１上に設けられた銅めっき層１３と、銅めっき層１３上に設けられた銀めっき層１４と、銀めっき層１４上に設けられ、ＬＥＤ素子２１からの光を反射するための反射層として機能する白金族めっき層１２とを有している。このリードフレーム１０の層構成については、図１を用いて既に説明した構成と同様であるので、ここでは詳細な説明を省略する。なお、リードフレーム１０としては、図２（ａ）−（ｃ）に示すものを用いても良い。
【００３３】
なお本実施の形態において、リードフレーム１０の本体部１１は、ＬＥＤ素子２１側の第１の部分２５と、第１の部分２５から離間した第２の部分２６とを有している。これら第１の部分２５と第２の部分２６との間には外側樹脂部２３が充填されており、第１の部分２５と第２の部分２６とは互いに電気的に絶縁されている。また第１の部分２５の底面に第１のアウターリード部２７が形成され、第２の部分２６の底面に第２のアウターリード部２８が形成されている。第１のアウターリード部２７および第２のアウターリード部２８は、それぞれ外側樹脂部２３から外方に露出している。
【００３４】
ＬＥＤ素子２１は、発光層として例えばＧａＰ、ＧａＡｓ、ＧａＡｌＡｓ、ＧａＡｓＰ、ＡｌＩｎＧａＰ、またはＩｎＧａＮ等の化合物半導体単結晶からなる材料を適宜選ぶことにより、紫外光から赤外光に渡る発光波長を選択することができる。このようなＬＥＤ素子２１としては、従来一般に用いられているものを使用することができる。
【００３５】
またＬＥＤ素子２１は、ダイボンディングペーストにより、外側樹脂部２３の凹部２３ａ内において本体部１１の載置面１１ａ上（厳密には白金族めっき層１２上）に固定されている。このようなダイボンディングペーストとしては、耐光性のあるエポキシ樹脂やシリコーン樹脂からなるダイボンディングペーストを選択することが可能である。
【００３６】
ボンディングワイヤ２２は、例えば金等の導電性の良い材料からなり、その一端がＬＥＤ素子２１の端子部２１ａに接続されるとともに、その他端がリードフレーム１０の本体部１１の第２の部分２６表面上に接続されている。
【００３７】
外側樹脂部２３は、例えばリードフレーム１０上に熱可塑性樹脂を射出成型することにより形成されたものである。外側樹脂部２３の形状は、射出成型に使用する金型の設計により、様々に実現することが可能である。例えば、外側樹脂部２３の全体形状を直方体、円筒形および錐形等の形状とすることが可能である。凹部２３ａの底面は、円形、楕円形または多角形等とすることができる。凹部２３ａの側壁の断面形状は、図３のように直線から構成されていても良いし、あるいは曲線から構成されていてもよい。
【００３８】
外側樹脂部２３に使用される熱可塑性樹脂については、特に耐熱性、耐候性および機械的強度の優れたものを選ぶことが望ましい。熱可塑性樹脂の種類としては、ポリアミド、ポリフタルアミド、ポリフェニレンサルファイド、液晶ポリマー、ポリエーテルサルホン、シリコーン、エポキシ、ポリエーテルイミドおよびポリブチレンテレフタレート等を使用することができる。さらにまた、これらの樹脂中に光反射剤として、二酸化チタン、二酸化ジルコニウム、チタン酸カリウム、窒化アルミニウムおよび窒化ホウ素のうちいずれかを添加することによって、凹部２３ａの底面及び側面において、発光素子からの光の反射率を増大させ、半導体装置２０全体の光取り出し効率を増大させることが可能となる。
【００３９】
封止樹脂部２４としては、光の取り出し効率を向上させるために、半導体装置２０の発光波長において光透過率が高く、また屈折率が高い材料を選択するのが望ましい。したがって耐熱性、耐候性、及び機械的強度が高い特性を満たす樹脂として、エポキシ樹脂やシリコーン樹脂を選択することが可能である。特に、ＬＥＤ素子２１として高輝度ＬＥＤを用いる場合、封止樹脂部２４が強い光にさらされるため、封止樹脂部２４は高い耐候性を有するシリコーン樹脂からなることが好ましい。
【００４０】
ＬＥＤ用リードフレームの製造方法
次に、図３に示す半導体装置２０に用いられるＬＥＤ用リードフレーム１０の製造方法について、図４（ａ）−（ｇ）により説明する。
【００４１】
まず図４（ａ）に示すように、金属基板からなる本体部１１を準備する。この本体部１１としては、上述のように銅、銅合金、４２合金（Ｎｉ４１％のＦｅ合金）等からなる金属基板を使用することができる。なお本体部１１は、その両面に対して脱脂等を行い洗浄処理を施したものを使用することが好ましい。
【００４２】
次に、本体部１１の表裏に感光性レジストを塗布、乾燥し、これを所望のフォトマスクを介して露光した後、現像してエッチング用レジスト層３２、３３を形成する（図４（ｂ））。なお感光性レジストとしては、従来公知のものを使用することができる。
【００４３】
次に、エッチング用レジスト層３２、３３を耐腐蝕膜として本体部１１に腐蝕液でエッチングを施す（図４（ｃ））。腐蝕液は、使用する本体部１１の材質に応じて適宜選択することができ、例えば、本体部１１として銅を用いる場合、通常、塩化第二鉄水溶液を使用し、本体部１１の両面からスプレーエッチングにて行うことができる。
【００４４】
次いで、エッチング用レジスト層３２、３３を剥離して除去する。このようにして、第１の部分２５と、第１の部分２５から離間した第２の部分２６とを有する本体部１１が得られる（図４（ｄ））。
【００４５】
次に、本体部１１の表面および裏面に各々所望のパターンを有するめっき用レジスト層３０、３１を設ける（図４（ｅ））。このうち表面側のめっき用レジスト層３０は、白金族めっき層１２の形成部位に相当する箇所に開口部３０ａが形成され、この開口部３０ａからは本体部１１の載置面１１ａが露出している。他方、裏面側のめっき用レジスト層３１は、本体部１１の裏面全体を覆っている。
【００４６】
次に、めっき用レジスト層３０、３１に覆われた本体部１１の表面側に電解めっきを施す。これにより本体部１１上に金属（銅）を析出させて、本体部１１上に銅めっき層１３を形成する。続いて同様にして、電解めっきにより銅めっき層１３上に金属（銀）を析出させて、銀めっき層１４を形成する。さらに同様にして、電解めっきにより銀めっき層１４上に金属（白金族）を析出させて、白金族めっき層１２を形成する（図４（ｆ））。
【００４７】
次いでめっき用レジスト層３０、３１を剥離することにより、図３に示す半導体装置２０に用いられるリードフレーム１０を得ることができる（図４（ｇ））。
【００４８】
なお、図４（ａ）−（ｇ）において、エッチングを施すことにより本体部１１を所定形状とした後（図４（ａ）−（ｄ））、本体部１１上に銅めっき層１３、銀めっき層１４、および白金族めっき層１２を形成している（図４（ｅ）−（ｇ））。しかしながらこれに限らず、まず本体部１１上に銅めっき層１３、銀めっき層１４、および白金族めっき層１２を形成し、その後、エッチングにより本体部１１を所定の形状に加工してもよい。
【００４９】
半導体装置の製造方法
次に、図３に示す半導体装置２０の製造方法について、図５（ａ）−（ｅ）により説明する。
【００５０】
まず、上述した工程により（図４（ａ）−（ｇ））、載置面１１ａを有する本体部１１と、ＬＥＤ素子２１からの光を反射するための反射層として機能する白金族めっき層１２とを備えたリードフレーム１０を作成する（図５（ａ））。
【００５１】
次に、このリードフレーム１０に対して熱可塑性樹脂を射出成型することにより、外側樹脂部２３を形成する（図５（ｂ））。これにより、外側樹脂部２３とリードフレーム１０とが一体に形成される。またこのとき、射出成型に使用する金型を適宜設計することにより、外側樹脂部２３に凹部２３ａを形成するとともに、この凹部２３ａ底面において白金族めっき層１２が外方に露出するようにする。
【００５２】
次に、リードフレーム１０の本体部１１の載置面１１ａ上に、ＬＥＤ素子２１を搭載する。この場合、ダイボンディングペーストを用いて、ＬＥＤ素子２１を本体部１１の載置面１１ａ上（白金族めっき層１２上）に載置して固定する（ダイアタッチ工程）（図５（ｃ））。
【００５３】
次に、ＬＥＤ素子２１の端子部２１ａと、本体部１１の第２の部分２６表面とを、ボンディングワイヤ２２によって互いに電気的に接続する（ワイヤボンディング工程）（図５（ｄ））。
【００５４】
その後、外側樹脂部２３の凹部２３ａ内に封止樹脂部２４を充填し、封止樹脂部２４によりＬＥＤ素子２１とボンディングワイヤ２２とを封止することにより、図３に示す半導体装置２０を得ることができる（図５（ｅ））。この場合、予めリードフレーム１０上に複数のＬＥＤ素子２１を搭載しておき、各ＬＥＤ素子２１間の外側樹脂部２３をそれぞれダイシングすることにより、各半導体装置２０を作製しても良い。
【００５５】
本実施の形態の作用効果
次に、本実施の形態による作用効果について説明する。本実施の形態による半導体装置２０においては、上述したように、本体部１１の載置面１１ａに反射層として機能する白金族めっき層１２が設けられている。このことにより、以下のような作用効果が得られる。
【００５６】
すなわち半導体装置２０を製造してから一定時間が経過した後、例えば外側樹脂部２３と封止樹脂部２４との間から、半導体装置２０内部に空気中の酸素や硫化水素ガス等の腐食性ガスが浸透する場合がある。本実施の形態によれば、本体部１１の載置面１１ａに反射層として機能する白金族めっき層１２を設けたことにより、半導体装置２０内部に腐食性ガスが浸透した場合であっても、反射層（白金族めっき層１２）が変色したり腐食したりすることがなく、その反射率が低下することがない。他方、比較例として、反射層が銀めっき層からなる場合、腐食性ガスが浸透した際、反射層に変色や腐食が生じるおそれがある。
【００５７】
また本実施の形態によれば、反射層は白金族めっき層１２からなり、高い反射特性を有しているので、ＬＥＤ素子２１からの光を効率良く反射することができる。
【００５８】
さらに本実施の形態によれば、白金族めっき層１２は、上述したように極めて薄い（０．００５μｍ〜０．２μｍ）膜からなっている。したがって、ダイアタッチ時あるいはワイヤボンディングに、その際に加えられるエネルギーにより白金族めっき層１２が部分的に破かれる。したがって、銀めっき上に直接ダイアタッチあるいはワイヤボンディングを行う場合とほぼ同等の接合強度を得ることができる。また白金族めっき層１２を極めて薄く形成したことにより、比較的高価な白金族の金属を用いる場合であってもコストの上昇幅が少ない。
【００５９】
変形例
以下、本実施の形態による半導体装置の各変形例について、図６乃至図１０を参照して説明する。図６乃至図１０において、図３に示す実施の形態と同一部分には同一の符号を付して、詳細な説明は省略する。
【００６０】
（変形例１）
図６は、半導体装置の変形例１（ＳＯＮタイプ）を示す断面図である。図６に示す実施の形態は、導電部としてはんだボール４１ａ、４１ｂを用いる点が異なるものであり、他の構成は上述した図３に示す実施の形態と略同一である。
【００６１】
図６に示す半導体装置４０（変形例１）において、リードフレーム１０の本体部１１の載置面１１ａ上に、ＬＥＤ素子２１が載置されている。この場合、ＬＥＤ素子２１は、本体部１１の第１の部分２５と第２の部分２６とに跨って載置されている。またＬＥＤ素子２１は、ボンディングワイヤ２２に代えて、はんだボール（導電部）４１ａ、４１ｂによってリードフレーム１０の白金族めっき層１２に接続されている（フリップチップ方式）。なお図６に示すように、はんだボール４１ａ、４１ｂのうち、一方のはんだボール４１ａは第１の部分２５に接続され、他方のはんだボール４１ｂは第２の部分２６に接続されている。
【００６２】
（変形例２）
図７は、半導体装置の変形例２（ＬＧＡタイプ）を示す断面図である。図７に示す実施の形態は、基板１０の構成等が図３に示す実施の形態と異なるものである。
【００６３】
図７に示す半導体装置５０（変形例２）において、基板１０は、ＬＥＤ素子２１を載置する載置面１１ａを有する本体部１１と、本体部１１の載置面１１ａに設けられＬＥＤ素子２１からの光を反射するための反射層として機能する白金族めっき層１２とを有している。
【００６４】
このうち本体部１１は、ＬＥＤ素子２１が載置される第１の部分（ダイパッド）５１と、第１の部分５１から離間した第２の部分（端子部）５２とを有している。これら第１の部分５１と第２の部分５２との間には封止樹脂部２４が充填されており、第１の部分５１と第２の部分５２とは互いに電気的に絶縁されている。また第１の部分５１の底面に第１の外部端子５３が形成され、第２の部分５２の底面に第２の外部端子５４が形成されている。第１の外部端子５３および第２の外部端子５４は、それぞれ封止樹脂部２４から外方に露出している。なお図７において、本体部１１は、１つのめっき層または複数のめっき層を積層した構成からなっていても良い。
【００６５】
この場合、ＬＥＤ素子２１は、第１の部分５１において本体部１１の載置面１１ａ上に載置されている。また基板１０の第２の部分５２とＬＥＤ素子２１とは、ボンディングワイヤ（導電部）２２によって電気的に接続されている。すなわちボンディングワイヤ２２の一端がＬＥＤ素子２１の端子部２１ａに接続され、ボンディングワイヤ２２の他端が第２の部分５２の表面上に接続されている。他方、透光性の封止樹脂部２４は、基板１０の上側部分、ＬＥＤ素子２１、およびボンディングワイヤ２２を封止している。
【００６６】
なお図７において外側樹脂部２３は設けられていないが、これに限られるものではなく、図３と同様にＬＥＤ素子２１を取り囲むように外側樹脂部２３を設けても良い。
【００６７】
（変形例３）
図８は、半導体装置の変形例３（ＰＬＣＣタイプ）を示す断面図である。図８に示す実施の形態は、リードフレーム１０の構成が図３に示す実施の形態と異なるものである。
【００６８】
図８に示す半導体装置６０（変形例３）において、リードフレーム１０は、ＬＥＤ素子２１を載置する載置面１１ａを有する本体部１１と、本体部１１の載置面１１ａに設けられ、ＬＥＤ素子２１からの光を反射するための反射層として機能する白金族めっき層１２とを有している。
【００６９】
このうち本体部１１は、ＬＥＤ素子２１が載置される第１の部分（ダイパッド）６１と、第１の部分６１から離間した第２の部分（端子部）６２および第３の部分（端子部）６３とを有している。これら第１の部分６１と第２の部分６２の間、および第１の部分６１と第３の部分６３の間には、それぞれ外側樹脂部２３が充填されている。これにより、第１の部分６１と第２の部分６２とは互いに電気的に絶縁され、かつ第１の部分６１と第３の部分６３とは互いに電気的に絶縁されている。また第２の部分６２および第３の部分６３は、それぞれ断面略Ｊ字状に湾曲されている。さらに第２の部分６２の端部には第１のアウターリード部６４が形成され、第３の部分６３の端部には第２のアウターリード部６５が形成されている。これら第１のアウターリード部６４および第２のアウターリード部６５は、それぞれ外側樹脂部２３から外方に露出している。
【００７０】
この場合、ＬＥＤ素子２１は、第１の部分６１において本体部１１の載置面１１ａ上に載置されている。またＬＥＤ素子２１は、リードフレーム１０の本体部１１の第２の部分６２および第３の部分６３に、それぞれボンディングワイヤ（導電部）２２を介して電気的に接続されている。
【００７１】
（変形例４）
図９は、半導体装置の変形例４（基板タイプ）を示す断面図である。図９に示す実施の形態は、基板１０が非導電性基板７４上に配置されている点等が図３に示す実施の形態と異なるものである。
【００７２】
図９に示す半導体装置７０（変形例４）において、基板１０は、ＬＥＤ素子２１を載置する載置面１１ａを有する本体部１１と、本体部１１の載置面１１ａに設けられ、ＬＥＤ素子２１からの光を反射するための反射層として機能する白金族めっき層１２とを有している。
【００７３】
このうち本体部１１は、第１の部分７１と、この第１の部分７１から離間した第２の部分７２とを有している。これら第１の部分７１と第２の部分７２の間には封止樹脂部２４が充填されており、第１の部分７１と第２の部分７２とは互いに電気的に絶縁されている。この場合、ＬＥＤ素子２１は、第１の部分７１と第２の部分７２とに跨って載置されている。またＬＥＤ素子２１は、ボンディングワイヤ２２に代えて、はんだボール（導電部）７３ａ、７３ｂによってリードフレーム１０の白金族めっき層１２に接続されている（フリップチップ方式）。なお図９に示すように、はんだボール７３ａ、７３ｂのうち、はんだボール７３ａは第１の部分７１に接続され、はんだボール７３ｂは第２の部分７２に接続されている。
【００７４】
ところで図９において、基板１０は非導電性基板７４上に配置されている。非導電性基板７４は、有機基板であっても無機基板であってもよい。有機基板としては、例えば、ポリエーテルサルホン（ＰＥＳ）、ポリエチレンナフタレート（ＰＥＮ）、ポリアミド、ポリブチレンテレフタレート、ポリエチレンテレフタレート、ポリフェニレンサルファイド、ポリエーテルエーテルケトン、液晶ポリマー、フッ素樹脂、ポリカーボネート、ポリノルボルネン系樹脂、ポリサルホン、ポリアリレート、ポリアミドイミド、ポリエーテルイミド、又は熱可塑性ポリイミド等からなる有機基板、又はそれらの複合基板を挙げることができる。また、無機基板としては、例えば、ガラス基板、シリコン基板、セラミックス基板等を挙げることができる。
【００７５】
非導電性基板７４には複数のスルーホール７５が形成されている。また各スルーホール７５内にはそれぞれ導電性物質７６が充填されている。そして本体部１１の第１の部分７１および第２の部分７２は、それぞれ各スルーホール７５内の導電性物質７６を介して、第１の外部端子７７および第２の外部端子７８に電気的に接続されている。なお、導電性物質７６としては、めっきによりスルーホール７５内に形成された銅等の導電性金属、あるいは銅粒子、銀粒子等の導電性粒子を含有した導電性ペースト等が挙げられる。
【００７６】
なお図９において外側樹脂部２３は設けられていないが、これに限られるものではなく、図３と同様にＬＥＤ素子２１を取り囲むように外側樹脂部２３を設けても良い。
【００７７】
（変形例５）
図１０は、半導体装置の変形例５（モジュールタイプ）を示す断面図である。図１０に示す実施の形態は、１つの非導電性基板７４上に複数の基板１０を配置した点が異なるものであり、他の構成は上述した図９に示す実施の形態（変形例４）と略同一である。
【００７８】
図１０に示す半導体装置８０（変形例５）において、１つの非導電性基板７４上に複数の基板１０が配置されている。各基板１０は、ＬＥＤ素子２１を載置する載置面１１ａを有する本体部１１と、本体部１１の載置面１１ａに設けられ、ＬＥＤ素子２１からの光を反射するための反射層として機能する白金族めっき層１２とを有している。
【００７９】
このほか、図１０において、図９に示す実施の形態（変形例４）と同一部分には同一の符号を付して、詳細な説明は省略する。
【００８０】
以上説明した変形例１−５による半導体装置４０、５０、６０、７０、８０（図６乃至図１０）においても、図３に示す半導体装置２０と略同一の作用効果を得ることができる。
【符号の説明】
【００８１】
１０        ＬＥＤ用リードフレームまたは基板
１１        本体部
１１ａ      載置面
１２        白金族めっき層
１３        銅めっき層
１４        銀めっき層
２０、４０、５０、６０、７０、８０  半導体装置
２１        ＬＥＤ素子
２２        ボンディングワイヤ（導電部）
２３        外側樹脂部
２４        封止樹脂部
２５        第１の部分
２６        第２の部分
２７        第１のアウターリード部
２８        第２のアウターリード部
【図１】
2011066144.tif 000003
【図２】
2011066144.tif 000004
【図３】
2011066144.tif 000005
【図４】
2011066144.tif 000006
【図５】
2011066144.tif 000007
【図６】
2011066144.tif 000008
【図７】
2011066144.tif 000009
【図８】
2011066144.tif 000010
【図９】
2011066144.tif 000011
【図１０】
2011066144.tif 000012